(57)【要約】【課題】電源の投入直後に、液晶表示パネルにノイズ画像が表示されることを防止する。【解決手段】液晶表示装置では、パネル電源ＰＶＤＤの投入後、垂直同期信号Ｖｓｙｎｃの立上がりタイミングに同期し、プログラムブルタイマにより所定の停止時間ＴＳを計時開始し、停止時間ＴＳの計時完了と同時にイネーブル信号ＥＮＢの出力を開始する。これにより、液晶表示パネルにより画像の表示が開始される。この結果、パネル電源ＰＶＤＤの投入後、所定の停止時間ＴＳの計時が完了するまでのマスク期間中は、液晶表示パネルが非表示状態に制御されるので、電源の投入直後に、表示パネルにノイズ画像が表示されることを防止できる。【選択図】図５
2010008541.tif 000002
【特許請求の範囲】
【請求項１】
走査線と、データ線と、前記走査線と前記データ線との交差に対応して設けられたスイッチング素子と、前記スイッチング素子に対応して設けられた画素電極と、前記画素電極に対応して設けられた対向電極を備えた表示パネルを駆動するための表示パネル駆動装置であって、
前記走査線を駆動するための走査線駆動信号を出力する走査線駆動回路と、
前記表示パネルを駆動するための電源の投入時から、所定の表示停止時間が経過するまでのマスク期間中に、前記走査線駆動回路から前記走査線への前記走査線駆動信号の出力を停止する信号出力停止手段と、
を備えたことを特徴とする表示パネル駆動装置。
【請求項２】
前記走査線に前記走査線駆動信号を出力するタイミングを規定するためのイネーブル信号を出力するイネーブル制御回路を備え、
前記イネーブル制御回路は、前記マスク期間中に前記信号出力停止手段への前記イネーブル信号の出力を停止するマスク設定部を設けたことを特徴とする請求項１記載の表示パネル駆動装置。
【請求項３】
前記マスク設定部には、前記マスク期間を設定する可変タイマ部が設けられたことを特徴とする請求項２記載の表示パネル駆動装置。
【請求項４】
前記対向電極に対向電極電圧を印加する対向電極電圧生成回路を備え、
前記マスク期間の時間長は、表示パネルの電源投入後、前記対向電極電圧生成回路により前記対向電極に印加される前記対向電極電圧が所定の電圧に達するまでの時間長よりも長く設定されることを特徴とする請求項２又は３記載の表示パネル駆動装置。
【請求項５】
前記データ線を通して、前記画素電極に表示信号を出力するデータ線駆動回路を備え、
前記マスク期間の時間長は、前記表示パネルの電源投入後、前記データ線駆動回路が前記データ線に出力する前記表示信号が所定の電圧に達するまでの時間長よりも長く設定されることを特徴とする請求項２乃至４の何れか１項記載の表示パネル駆動装置。
【請求項６】
前記請求項１乃至５の何れか１項に記載の表示パネル駆動装置を備えることを特徴とする表示装置。
【請求項７】
走査線と、データ線と、前記走査線と前記データ線との交差に対応して設けられたスイッチング素子と、前記スイッチング素子に対応して設けられた画素電極と、前記画素電極に対応して設けられた対向電極を備えた表示パネルの駆動方法であって、
前記走査線を駆動するための走査線駆動信号を出力する走査線駆動回路と、
前記走査線に前記走査線駆動信号を出力するタイミングを規定するためのイネーブル信号を出力するイネーブル制御回路と、を備え、
前記表示パネルを駆動するための電源の投入時から、所定の表示停止時間が経過するまでのマスク期間中に、前記イネーブル制御回路からの前記イネーブル信号の出力を停止することによって、前記走査線駆動回路から前記走査線への前記走査線駆動信号の出力を停止することを特徴とする表示パネルの駆動方法。
【発明の詳細な説明】
【技術分野】
【０００１】
本発明は、複数の画素が所定の水平方向及び垂直方向に沿って２次元的に配列された表示パネルを駆動するための表示パネル駆動装置に関する。
また本発明は、複数の画素が所定の水平方向及び垂直方向に沿って２次元的に配列された表示パネルを備えた表示装置に関する。
また本発明は、複数の画素が所定の水平方向及び垂直方向に沿って２次元的に配列された表示パネルを駆動するための表示パネルの駆動方法に関する。
【背景技術】
【０００２】
特許文献１に記載された表示パネル駆動装置は、印加電圧により透過光の偏光状態を変える液晶の電気光学的性質を利用して光の透過／不透過を切り替えられる液晶素子が２次元状に複数配設され、駆動電圧により少なくとも文字及び画像が表示制御される液晶表示手段と、電源のオン／オフの際に液晶表示手段を無表示とするマスク期間を設ける制御手段とを有している。
特許文献１の液晶表示駆動装置では、装置電源の投入後、所定の時間長を有するマスク期間中に、液晶表示パネルの表示状態を制御する複数種類の制御信号をそれぞれ表示パネルの全白又は全黒に対応するレベルに維持する。これにより、同期信号や制御信号の引き込みに途中の画乱れ、画素不良、残像（レインメモリ）等のノイズが表示パネル上に表示され得るマスク期間中は、液晶表示パネルの表示画面全体が全白又は全黒の表示状態となり、ノイズ画像の表示が強制的にマスクされる。具体的には、マスク期間中は、「ブライト信号」、「ＣＯＭ電位」、「ＣＯＭゲイン信号」及び「ダイナミックレンジ信号」の信号レベルがそれぞれ表示パネルの表示状態を全白又は全黒となるように制御される。
【０００３】
しかし、液晶表示装置では、装置電源の投入直後に、表示パネルにおける端部（例えば、上端部）付近にスジ状のノイズ画像が瞬間的に、画像表示信号とは関係なく表示されることがある。これは、表示パネルを駆動する表示パネル駆動装置が垂直走査回路及び、表示パネルの対向電極に与えられる対向電極電圧のレベルを、水平方向に沿って延在する１本の画素列（水平画素列）ごとに変化させる走査線駆動回路（ゲートドライバ）を内蔵する場合に、装置電源を投入してから、対向電極電圧の上限値（Ｈレベル）が所定の定格電圧に達するまでの立ち上がり遅いことに起因する。
すなわち、上記のような対向電極電圧の立ち上がり時間中に、表示パネルに対する最初の垂直走査が開始されると、垂直走査の開始直後に、対向電極に与えられる対向電極電圧のＨレベルが定格値まで達しないことがあり、この状態で、走査線駆動回路から走査線にゲート選択信号が出力され、水平画素列により画像表示が行われると、この水平画素列により黒色又は白色のスジ状のノイズ画像が瞬間的に表示されることになる。
【特許文献１】特開平１１−２１２５２２号公報
【発明の開示】
【発明が解決しようとする課題】
【０００４】
本発明の目的は、電源の投入直後に、表示パネルにノイズ画像が表示されることを防止でき、しかも装置構造が複雑になることを効果的に抑制できる表示パネル駆動装置、表示装置及び表示パネルの駆動方法を提供することにある。
【課題を解決するための手段】
【０００５】
本発明に係る表示パネル駆動装置は、複数の画素が所定の水平方向及び垂直方向に沿って２次元的に配列された表示パネルを駆動するための表示パネル駆動装置であって、表示パネルにおける水平方向に沿って画素が配列された水平画素列に対応して設けられた走査線を駆動するための走査線駆動信号を出力する走査線駆動回路と、表示パネルを駆動するための電源の投入時から、所定の表示停止時間が経過するまでのマスク期間中に、前記走査線駆動回路から走査線への前記駆動信号の出力を停止する信号出力停止手段と、を備えたことを特徴とする。
上記本発明に係る表示パネル駆動装置では、信号出力停止手段が、表示パネルを駆動するための電源の投入時から、所定の表示停止時間が経過するまでのマスク期間中に、走査線駆動回路から走査線への駆動信号の出力を停止することにより、表示パネルを駆動するための電源の投入時から、所定の表示停止時間が経過するまでのマスク期間中には、走査電圧生成回路により生成された走査線駆動信号が、水平画素列に対応する走査線に出力されることを阻止できるので、表示パネルを画像が表示されない非表示状態に維持できる。
【０００６】
また、上記本発明に係る表示パネル駆動装置では、マスク期間中に、走査電圧生成回路により生成された走査線駆動信号を出力停止させるだけで、表示パネルを非表示状態に維持できるので、このような機能を実現するためのマスク設定部の追加に伴う、回路及びソフトウェアの複雑化を効果的に抑制できる。
この結果、上記本発明に係る表示パネル駆動装置によれば、電源の投入直後に、表示パネルにノイズ画像が表示されることを防止でき、しかも装置構造が複雑になることを効果的に抑制できる。
また、本発明に係る表示パネル駆動装置は、駆動すべき走査線に前記走査線駆動信号を出力するタイミングを規定するために、前記前記走査線駆動回路にイネーブル信号を出力するイネーブル制御回路を備え、前記信号出力停止手段に、前記マスク期間中に、前記イネーブル制御回路からの前記イネーブル信号の出力を停止するマスク設定部を設けたことを特徴とする。
【０００７】
上記本発明に係る表示パネル駆動装置では、マスク設定部がマスク期間中にイネーブル信号の出力を停止することにより、表示パネルを駆動するための電源の投入時から、マスク期間中には、走査線駆動回路がイネーブル信号の入力に同期し、走査線駆動信号を水平画素列に対応する走査線に選択的に出力することを阻止できるので、表示パネルをマスク期間中に非表示状態に維持できる。
また、上記本発明に係る表示パネル駆動装置では、マスク期間中に、ゲート選択回路に出力される単一の制御信号であるイネーブル信号のみを出力停止させるだけで、走査線に走査線駆動信号が出力されることを阻止し、表示パネルを非表示状態に維持できるので、このような機能を実現するためのマスク設定部の追加に伴う、回路及びソフトウェアの複雑化を効果的に抑制できる。
また、本発明に係る表示パネル駆動装置は、前記マスク設定部には、前記表示停止時間を設定する可変タイマ部が設けられたことを特徴とする。
【０００８】
上記本発明に係る表示パネル駆動装置では、マスク設定部に表示停止時間を設定する可変タイマ部が設けられていることにより、装置における各種条件の変化等に応じて表示停止時間の時間長を簡単に設定することができる。
また、本発明に係る表示パネル駆動装置は、表示パネルにおける画素を構成する対向電極電圧を印加する対向電極電圧生成回路を備え、前記表示停止時間の時間長は、表示パネルの電源投入後、前記対向電極電圧生成回路により前記対向電極に印加される前記対向電極電圧が所定の定格電圧に達するまでの時間長よりも長く設定されることを特徴とする。
上記本発明に係る表示パネル駆動装置では、表示停止時間の時間長が、表示パネルの電源投入後、対向電極電圧生成回路により対向電極に印加される対向電極電圧が所定の定格電圧に達するまでの時間長よりも長く設定されていることにより、表示パネルの電源投入時に、対向電極に印加される対向電極電圧が所定の定格電圧に達しないことにより、表示パネルにノイズ画像が表示されることを防止できる。
【０００９】
また、本発明に係る表示パネル駆動装置は、表示パネルにおける前記垂直方向に沿って画素が配列された複数の垂直画素列にそれぞれ対応して設けられたデータ線を通して、垂直画素列を構成する複数の画素にそれぞれ表示信号を出力するデータ線駆動回路を備え、前記表示停止時間の時間長は、表示パネルの電源投入後、前記データ線駆動回路が出力する前記表示信号が所定の定格出力に達するまでの時間長よりも長く設定されることを特徴とする。
上記本発明に係る表示パネル駆動装置では、表示停止時間の時間長が、表示パネルの電源投入後、データ線駆動回路が出力する表示信号が所定の定格出力に達するまでの時間長よりも長く設定されていることにより、表示パネルの電源投入時に、データ線駆動回路が出力する表示信号が所定の定格出力に達しないことにより、表示パネルにノイズ画像が表示されることを防止できる。
【発明を実施するための最良の形態】
【００１０】
以下、本発明の実施形態に係る液晶表示装置について図面を参照しながら説明する。
（液晶表示装置）
図１には、本発明の実施形態に係る液晶表示装置がブロック図として示されている。この液晶表示装置１０は、液晶表示パネル（以下、単に「表示パネル」という。）１２及び、その駆動装置が一体化されたものであり、表示パネル１２には、複数個の画素が制御の基準方向となる垂直方向（Ｖ方向）及び水平方向（Ｈ方向）に沿って二次元状に配置されている。
なお、図１では、表示パネル１２についての簡単を簡略化するため、Ｖ方向及びＨ方向に沿って２個×２個＝４個の画素のみを示しているが、このような画素の数は、表示パネル１２のサイズ、画素密度等に応じて任意の個数に設定可能である。また図１の紙面上にて、Ｈ方向に沿って配列された複数個の画素（画素列）については、Ｖ方向の上側から下側へ順に向かって１行、２行及び３行の画素（水平画素列）と言い、Ｖ方向に沿って配列された複数個の画素（画素列）については、Ｈ方向左側から右側へ向かって順に１列、２列及び３列の画素（垂直画素列）と言うものとする。
【００１１】
液晶表示装置１０は、表示パネル１２、データ線駆動回路２０、走査線駆動回路３０、表示コントローラ４０、電源回路５０を備えている。なお、液晶表示装置１０に、これらのすべての回路ブロックを含める必要はなく、その一部の回路ブロックを省略する構成にしてもよい。ここで、表示パネル１２には、複数の走査線Ｇ1〜ＧMと、複数のデータ線Ｓ1〜ＳNとを含む。
具体的には、表示パネル１２はアクティブマトリクス基板（例えばガラス基板）に形成される。このアクティブマトリクス基板には、図１のＶ方向に複数配列されそれぞれＨ方向に伸びる走査線Ｇ1〜ＧM（Ｍは２以上の自然数）と、Ｈ方向に複数配列されそれぞれＶ方向に伸びるデータ線Ｓ1〜ＳN（Ｎは２以上の自然数）とが配置されている。また、走査線ＧK（１≦Ｋ≦Ｍ、Ｋは自然数）とデータ線ＳL（１≦Ｌ≦Ｎ、Ｌは自然数）との交差点に対応する位置に、スイッチング素子である薄膜トランジスタ１４KL（広義にはスイッチング素子）が設けられている。
【００１２】
薄膜トランジスタ１４KLのゲート電極は走査線ＧKに接続され、薄膜トランジスタ１４KLのソース電極はデータ線ＳLに接続され、薄膜トランジスタ１４KLのドレイン電極は画素電極１３KLに接続されている。画素電極１３KLと、画素電極１３KLと液晶（広義には電気光学物質）を挟んで対向する対向電極１５（共通電極、コモン電極）との間には、液晶容量１６KL（液晶素子）及び補助容量１７KLが形成されている。そして、薄膜トランジスタ１４KL、画素電極１３KL等が形成されるアクティブマトリクス基板と対向電極１５が形成される対向基板との間に液晶が封入されるように形成され、画素電極１３KLと対向電極１５との間の印加電圧に応じて画素の透過率が変化するようになっている。
なお、対向電極１５に与えられる対向電極電圧ＶＣＯＭの電圧レベル（高電位側電圧ＶＣＯＭＨ、低電位側電圧ＶＣＯＭＬ）は、電源回路５０に含まれる対向電極電圧生成回路より生成される。また、対向電極１５については、対向基板上に一面に形成せずに、各走査線Ｇ1〜ＧMに対応するように帯状に形成してもよい。
【００１３】
データ線駆動回路２０は、表示データに基づいて表示パネル１２のデータ線Ｓ1〜ＳNを駆動する。一方、走査線駆動回路３０は、表示パネル１２の走査線Ｇ1〜ＧMを走査（順次駆動）する。
表示コントローラ４０は、図示しない中央演算処理装置（Central Processing Unit：ＣＰＵ）等のホストにより設定された内容に従って、データ線駆動回路２０、走査線駆動回路３０及び電源回路５０を制御する。より具体的には、表示コントローラ４０は、データ線駆動回路２０及び走査線駆動回路３０に対しては、例えば、動作モードの設定や内部で生成した垂直同期信号や水平同期信号の供給を行い、電源回路５０に対しては、対向電極１５に印加する対向電極電圧ＶＣＯＭの電圧レベルの極性反転タイミングの制御を行う。
【００１４】
電源回路５０は、外部から供給される基準電圧に基づいて、表示パネル１２の駆動に必要な各種の電圧レベル（階調電圧）や、対向電極１５の対向電極電圧ＶＣＯＭの電圧レベル（ＶＣＯＭＨ、ＶＣＯＭＬ）を生成する。このような構成の液晶表示装置１０は、表示コントローラ４０の制御に従い、外部から供給される表示データに基づいて、データ線駆動回路２０、走査線駆動回路３０及び電源回路５０が互いに協調して表示パネル１２を駆動する。
本実施形態では、液晶表示装置１０が表示コントローラ４０を含む構成になっているが、表示コントローラ４０を液晶表示装置１０の外部に設けてもよい。或いは、表示コントローラ４０と共にホストを液晶表示装置１０に含めるようにしてもよい。また、データ線駆動回路２０、走査線駆動回路３０及び電源回路５０を集積化して、半導体装置（集積回路、ＩＣ）として表示ドライバ６０を構成してもよい。
【００１５】
（電源回路）
図２に、図１の電源回路５０の構成例をブロック図により示す。電源回路５０は、正方向２倍昇圧回路５２、走査電圧生成回路５４、対向電極電圧生成回路５６を含む。この電源回路５０には、システム接地電源電圧ＶＳＳ及びシステム電源電圧ＶＤＤが供給される。
正方向２倍昇圧回路５２には、システム接地電源電圧ＶＳＳ及びシステム電源電圧ＶＤＤが供給される。そして正方向２倍昇圧回路５２は、システム接地電源電圧ＶＳＳを基準に、システム電源電圧ＶＤＤを正方向に２倍に昇圧した電源電圧ＶＯＵＴを生成する。即ち、正方向２倍昇圧回路５２は、システム接地電源電圧ＶＳＳとシステム電源電圧ＶＤＤとの間の電圧差を２倍に昇圧する。このような正方向２倍昇圧回路５２は、公知のチャージポンプ回路により構成できる。電源電圧ＶＯＵＴは、データ線駆動回路２０、走査電圧生成回路５４や対向電極電圧生成回路５６に供給される。
【００１６】
走査電圧生成回路５４には、システム接地電源電圧ＶＳＳ及び電源電圧ＶＯＵＴが供給される。そして走査電圧生成回路５４は、走査電圧を走査線駆動信号ＧＬＶとして生成する。走査線駆動信号ＧＬＶは、走査線駆動回路３０によって駆動される走査線Ｇ1〜ＧMに印加される電圧信号である。この走査線駆動信号ＧＬＶの高電位側電圧はＶＤＤＨＧであり、低電位側電圧はＶＥＥである。
対向電極電圧生成回路５６は、対向電極電圧ＶＣＯＭを生成する。対向電極電圧生成回路５６は、極性反転信号ＰＯＬに基づいて、高電位側電圧ＶＣＯＭＨ又は低電位側電圧ＶＣＯＭＬを、対向電極電圧ＶＣＯＭとして出力する。極性反転信号ＰＯＬは、極性反転タイミングに合わせて表示コントローラ４０によって生成される。
【００１７】
（走査線駆動回路）
図３に、図１の走査線駆動回路３０の構成例をブロック図により示す。走査線駆動回路３０には、シフトレジスタ３２が設けられると共に、複数の各走査線Ｇ1〜ＧMにそれぞれ対応して複数のＡＮＤ回路３４が設けられている。また走査線駆動回路３０は、複数のＡＮＤ回路３４にパラレルにイネーブル信号ＥＮＢを出力するイネーブル制御回路７０を内蔵している。
シフトレジスタ３２には、各走査線Ｇ1〜ＧMに対応して設けられ、順次接続された複数のフリップフロップが設けられている。シフトレジスタ３２は、水平クロック信号ＣＫＨに同期して走査線駆動信号ＧＬＶをフリップフロップに保持すると、順次、水平クロック信号ＣＫＨに同期して隣接するフリップフロップに走査線駆動信号ＧＬＶをシフトする。シフトレジスタ３２における複数のフリップフロップは、走査線駆動信号ＧＬＶを保持すると共に、この走査線駆動信号ＧＬＶをＡＮＤ回路３４に出力する。
【００１８】
図４に、図３のイネーブル制御回路の構成例をブロック図により示す。イネーブル制御回路７０は、走査線Ｇ１〜ＧＭにそれぞれ対応する複数のＡＮＤ回路３４にパラレルにイネーブル信号ＥＮＢを出力する。イネーブル制御回路７０には、タイマ内蔵型のレジスタ７４が設けられると共に、表示コントローラ４０から出力されるイネーブル信号ＥＮＢ及び、レジスタ７４が出力するレジスタ信号ＲＥＧがそれぞれ入力するＡＮＤ回路７６が設けられている。ここで、レジスタ７４及びＡＮＤ回路７６は、本願発明に係るマスク設定部を構成している。
【００１９】
レジスタ７４は、例えば、プログラムブルタイマ７８を内蔵した３２ビットプロセッサ(ＣＰＵ)により構成されており、このプログラムブルタイマ７８には予め停止時間ＴＳが設定されている。プログラムブルタイマ７８は、表示パネル１２のパネル電源ＰＶＤＤ（図５参照）の投入後、Ｒ回目（Ｒは１以上の整数で、本実施形態ではＲ＝２に設定）の垂直同期信号Ｖｓｙｎｃの立ち上がりに同期して計時を開始する。ここで、２回目の垂直同期信号Ｖｓｙｎｃの立ち上がタイミングは表示開始タイミングを規定している。プログラムブルタイマ７８は、計時開始から停止時間ＴＳが経過すると同時にタイムアップする。このタイムアップと同時に、レジスタ７４はレジスタ信号ＲＥＧの出力を開始する。
【００２０】
プログラムブルタイマ７８に設定された停止時間ＴＳは、レジスタ７４に対するデータの書換え操作により任意の時間長に変更可能とされている。また表示コントローラ４０は、パネル電源ＰＶＤＤの投入後、２回目の垂直同期信号Ｖｓｙｎｃの立ち上がりに同期し、パルス波形のイネーブル信号ＥＮＢの出力を開始する。
イネーブル制御回路７０は、パネル電源ＰＶＤＤが投入され、２回目の垂直同期信号Ｖｓｙｎｃの立ち上がった後、所定の停止時間ＴＳが経過するまでのマスク期間中には、ＡＮＤ回路３４へのイネーブル信号ＥＮＢの出力を停止し、このマスク期間の経過時に、イネーブル信号ＥＮＢの出力を開始する。本実施形態では、停止時間ＴＳの時間長が垂直同期信号Ｖｓｙｎｃ（図５参照）により規定される１Ｖ期間の時間長と一致するように設定されている。
【００２１】
（パネル電源投入時の装置動作）
次に、本実施形態に係る液晶表示装置１０におけるパネル電源の投入時の動作を、従来の液晶表示装置におけるパネル電源ＰＶＤＤの投入時の動作と比較しつつ説明する。
図５には、本実施形態に係る液晶表示装置におけるパネル電源の投入時の動作例が示されている。液晶表示装置１０では、図５（Ｂ）に示されるように、パネル電源ＰＶＤＤが投入されると、一定時間を掛けてパネル駆動電圧がシステム接地電源電圧ＶＳＳ（＝０Ｖ）から定格電圧ＶＰまで昇圧する。
この後、図５（Ａ）、（Ｃ）及び（Ｄ）にそれぞれ示されるように、１Ｖ期間を規定する垂直同期信号Ｖｓｙｎｃの立下りのタイミングに同期し、表示コントローラ４０から表示信号Ｖｉｄの出力が開始されると共に、電源回路５０から対向電極電圧ＶＣＯＭの供給が開始される。
【００２２】
ここで、表示信号Ｖｉｄは、パネル電源ＰＶＤＤが投入されてから、所定の時間（安定化時間Ｔ１）が経過した後には、中心電圧ＶＶＧに対して一走査ライン毎に一定振幅（＝５Ｖ）で反転する電圧信号である。また対向電極電圧ＶＣＯＭも、パネル電源ＰＶＤＤが投入されてから、所定の時間（安定化時間Ｔ２）が経過した後には、一走査ライン周期でシステム接地電源電圧ＶＳＳに対して極性反転し、かつ所定の高電位側電圧ＶＣＯＭＨと低電位側電圧ＶＣＯＭＬとの間で振幅する対称波形の信号になる。
一方、パネル電源ＰＶＤＤが投入されてから、安定化時間Ｔ１が経過する前の期間（非定常期間）には、表示信号Ｖｉｄは、その振幅が高電位側電圧ＶＶＨと低電位側電圧ＶＶＬとの間の振幅に対して狭く、かつ振幅中心が中心電圧ＶＶＧに対して低電位側電圧ＶＶＬ側に寄った非対称の波形信号になっている。このＴ１経過前の非定常期間においては、表示信号Ｖｉｄは、時間経過に従って、その振幅が高電位側電圧ＶＶＨ及び低電位側電圧ＶＶＬにより規定される振幅に徐々に近づき、かつ振幅中心も中心電圧ＶＶＧに徐々に近づく。
そして、安定化時間Ｔ１が経過して定常状態へ遷移すると、表示信号Ｖｉｄは、その振幅が高電位側電圧ＶＶＨ及び低電位側電圧ＶＶＬにより規定される振幅に一致し、かつ中心電圧が中心電圧ＶＶＧと一致する。
【００２３】
またパネル電源ＰＶＤＤが投入されてから、安定化時間Ｔ２が経過する前の期間（非定常期間）には、対向電極電圧ＶＣＯＭも、その振幅が高電位側電圧ＶＣＯＭＨと低電位側電圧ＶＣＯＭＬとの間の振幅に対して狭く、かつ振幅中心がシステム接地電源電圧ＶＳＳに対して低電位側電圧ＶＣＯＭＬ側に寄った非対称の波形信号になっている。このＴ２経過前の非定常期間においては、対向電極電圧ＶＣＯＭは、時間経過に従って、その振幅が高電位側電圧ＶＣＯＭＨ及び低電位側電圧ＶＣＯＭＬにより規定される振幅に徐々に近づき、かつ振幅中心もシステム接地電源電圧ＶＳＳに徐々に近づく。そして、安定化時間Ｔ２が経過して定常状態へ遷移すると、対向電極電圧ＶＣＯＭは、その振幅が高電位側電圧ＶＣＯＭＨと低電位側電圧ＶＣＯＭＬにより規定される振幅に一致し、かつ振幅中心がシステム接地電源電圧ＶＳＳと一致する。
なお、表示コントローラ４０は、図５（Ｅ）及び（Ｆ）に示される水平スタート信号ＳＴＨ及び水平クロック信号ＣＫＨをデータ線駆動回路２０に出力すると共に、図５（Ｈ）及び（Ｉ）に示される垂直スタート信号ＳＴＶ及び垂直クロック信号ＣＫＶを走査線駆動回路３０に出力する。
【００２４】
図６には、従来の液晶表示装置におけるパネル電源の投入時の動作例が示され、図７には、パネル電源投入時における従来の液晶表示装置おける画像表示状態が示されている。
図６に示されるように、従来の液晶表示装置１５０でも、パネル電源ＰＶＤＤの投入後には、パネル駆動電圧、表示信号Ｖｉｄ及び対向電極電圧ＶＣＯＭがそれぞれ本実施形態に係る液晶表示装置１０と実質的に同一タイミングで出力開始され、その出力も同様に変化する。
一方、液晶表示装置１５０では、図６（Ａ）、（Ｂ）及び（Ｇ）に示されるように、パネル電源ＰＶＤＤの投入後、垂直同期信号Ｖｓｙｎｃの立上がりのタイミングに同期し、表示コントローラから（図示省略）からパルス波形のイネーブル信号ＥＮＢが出力開始される。これにより、表示パネル１５１により画像の表示が開始されるが、前述したように、この時期には、表示信号Ｖｉｄが正規の高電位側電位ＶＶＨ及び低電位側電位ＶＶＬにより規定される振幅に対して狭く、かつ振幅中心が中心電圧ＶＶＧに対して低電位側電圧ＶＶＬ側に寄った非対称の波形信号になっている。
【００２５】
また、対向電極電圧ＶＣＯＭも正規の高電位側電圧ＶＣＯＭＨと低電位側電圧ＶＣＯＭＬにより規定される振幅に対して狭く、かつ振幅中心がシステム接地電源電圧ＶＳＳに対して低電位側電圧ＶＣＯＭＬ側に寄った非対称の波形信号になる。このとき、表示信号Ｖｉｄの安定化時間Ｔ１と対向電極電圧ＶＣＯＭの安定化時間Ｔ２とを比較すると、通常、安定化時間Ｔ２の時間長のほうが長いものになっている。
上記非定常状態にて、液晶表示装置１５０が画像表示を開始すると、図７に示されるように、表示パネル１５１における垂直方向（Ｖ方向）に沿った表示開始側の1本ないし複数本の水平画素列により黒色又は白色のスジ状のノイズ画像ＧＮが表示されることがある。
【００２６】
従来の液晶表示装置１５０に対し、本実施形態に係る液晶表示装置１０では、図５（Ａ）、（Ｂ）及び（Ｇ）に示されるように、パネル電源ＰＶＤＤの投入後、垂直同期信号Ｖｓｙｎｃの立上がりのタイミングに同期し、表示コントローラ４０からイネーブル信号ＥＮＢの出力が開始されるが、このタイミングでは、レジスタ７４からレジスタ信号ＲＥＧの出力が開始されていないことから、ＡＮＤ回路７６を通して各走査線Ｇ１〜ＧＭにそれぞれ対応するＡＮＤ回路３４にイネーブル信号ＥＮＢが出力されない。そして、各走査線に対応する薄膜トランジスタはオフ状態を保ち、対応する画素電極には、データ線からの電圧が印加されない。
【００２７】
一方、レジスタ７４は、表示コントローラ４０によるイネーブル信号ＥＮＢの出力開始と同時に、プログラムブルタイマ７８により停止時間ＴＳの計時を開始し、停止時間ＴＳの計時完了と同時にレジスタ信号ＲＥＧをＡＮＤ回路７６へ出力開始する。これにより、イネーブル制御回路７０からＡＮＤ回路３４へイネーブル信号ＥＮＢの出力が開始されるので、表示パネル１２により画像表示が開始される。
このとき、停止時間ＴＳの時間長は、垂直同期信号Ｖｓｙｎｃ（図５（Ａ）参照）により規定される１Ｖ期間の時間長と一致するように設定されており、この１Ｖ期間の時間長は、通常、表示信号Ｖｉｄの安定化時間Ｔ１及び対向電極電圧ＶＣＯＭの安定化時間Ｔ２よりも十分に長いものになる。
【００２８】
この結果、本実施形態の液晶表示装置１０では、パネル電源ＰＶＤＤの投入後、Ｒ回目（本実施形態では、２回目）の垂直同期信号Ｖｓｙｎｃの立上がりのタイミングから、停止時間ＴＳの計時が完了するまでの期間（マスク期間）中は、表示パネル１２が画像表示を行わない状態（非表示状態）に制御されることから、表示信号Ｖｉｄ又は対向電極電圧ＶＣＯＭが定格電圧に達しないために、表示パネル１２にスジ状のノイズ画像が表示されることを確実に防止できる。
本実施形態に係る液晶表示装置１０では、従来の液晶表示装置１５０と比較し、基本的にイネーブル制御回路７０にレジスタ７４を追加するだけで、マスク期間中に、ゲート選択回路２４に出力されるイネーブル信号ＥＮＢの出力を阻止し、表示パネル１２を非画像表示状態できるので、このような機能を実現するために、装置の回路及びソフトウェアが複雑化することを効果的に抑制できる。
【００２９】
なお、本実施形態に係る液晶表示装置１０では、停止時間ＴＳの時間長を垂直同期信号Ｖｓｙｎｃにより規定される１Ｖ期間の時間長と同一に設定したが、この停止時間ＴＳは、必ずしも１Ｖ期間の時間長と等しく設定する必要はなく、例えば、１Ｖ期間を整数倍（２倍、３倍）した時間長に設定しても良く、これとは逆に、１Ｖ期間よりも短い時間長に設定しても良い。具体的には、装置における表示信号Ｖｉｄ及び対向電極電圧ＶＣＯＭの安定化時間Ｔ１、Ｔ２をそれぞれ実測し、その実測時間に応じて適宜設定するようにしても良い。
また液晶表示装置１０では、レジスタ７４のプログラムブルタイマ７８に対するデータ（停止時間ＴＳ）の書換え操作により、プログラムブルタイマ７８における停止時間ＴＳが延長又は短縮可能とされている。これにより、装置における各種の表示条件が変化したり、回路を構成する各素子の特性が変化し、表示信号Ｖｉｄ及び対向電極電圧ＶＣＯＭを含む各種信号の安定時間が変化したような場合でも、例えば、安定時間のうち最長のものに応じて停止時間ＴＳを適正な値に簡単に設定し直すことができる。
【図面の簡単な説明】
【００３０】
【図１】本発明の実施形態に係る液晶表示装置の構成を示すブロック図である。
【図２】図1に示される液晶表示装置における電源回路の構成を示すブロック図である。
【図３】図1に示される液晶表示装置における走査線駆動回路の構成を示すブロック図である。
【図４】図３に示される走査線駆動回路におけるイネーブル制御回路の構成を示すブロック図である。
【図５】本発明の実施形態に係る液晶表示装置におけるパネル電源の投入時の動作例を説明するためのタイミングチャートである。
【図６】従来の液晶表示装置におけるパネル電源の投入時の動作例を説明するためのタイミングチャートである。
【図７】従来の液晶表示装置においてパネル電源の投入時に表示パネルに表示されるノイズ画像を模式的に示す正面図である。
【符号の説明】
【００３１】
１０  液晶表示装置、１２  表示パネル（液晶表示パネル）、１３  画素電極、１４  薄膜トランジスタ、１５  対向電極、１６  液晶容量、１７  補助容量、２０  データ線駆動回路、２４  ゲート選択回路、３０  走査線駆動回路、３２  シフトレジスタ、３４  ＡＮＤ回路、４０  表示コントローラ、５０  電源回路、５２  ２倍昇圧回路、５４  走査電圧生成回路、５６  対向電極電圧生成回路、６０  表示ドライバ、７０  イネーブル制御回路、７４  レジスタ、７６  ＡＮＤ回路、７８  プログラムブルタイマ、ＣＫＨ  水平クロック信号、ＣＫＶ  垂直クロック信号、ＥＮＢ  イネーブル信号、Ｇ1-ＧM  走査線、ＧＬＶ  走査線駆動信号、ＧＮ  ノイズ画像、ＰＯＬ  極性反転信号、ＰＶＤＤ  パネル電源、ＲＥＧ  レジスタ信号、Ｓ1-ＳN  データ線、ＳＴＨ  水平スタート信号、ＳＴＶ  垂直スタート信号、Ｔ１  安定化時間、Ｔ２  安定化時間、ＴＳ  停止時間、ＶＣＯＭ  対向電極電圧、ＶＤＤ  システム電源電圧、Ｖｉｄ  表示信号、ＶＳＳ  システム接地電源電圧、Ｖｓｙｎｃ  垂直同期信号
【図１】
2010008541.tif 000003
【図２】
2010008541.tif 000004
【図３】
2010008541.tif 000005
【図４】
2010008541.tif 000006
【図５】
2010008541.tif 000007
【図６】
2010008541.tif 000008
【図７】
2010008541.tif 000009